(57)【要約】【課題】脱臭除菌装置の作動を担保しつつ、オゾンの拡散効率を向上させることができるオゾン式脱臭除菌装置の提供を目的とする。【解決手段】オゾン発生部１６に空気を送風する送風ファン１５と、オゾン分解部３７に空気を吸引する吸引ファンである第一吸引ファン３８、及び第二吸引ファン３９と、制御装置２２とを具備する脱臭除菌装置１００において、制御装置２２は、オゾンを発生させている間、第一吸引ファン３８、及び第二吸引ファン３９を所定間隔ｔ２で所定時間ｔ３だけ作動させる。【選択図】図７
2014014549.tif 000002
【特許請求の範囲】
【請求項１】
オゾン発生部に空気を送風する送風ファンと、オゾン分解部に空気を吸引する吸引ファンと、制御装置とを具備する脱臭除菌装置において、
前記制御装置は、
オゾンを発生させている間、前記吸引ファンを所定間隔で所定時間だけ作動させる脱臭除菌装置。
【請求項２】
前記制御装置は、
オゾンの発生を開始させる場合、前記送風ファンを作動させ、所定時間経過後に前記オゾン発生部に電流を印加し、
オゾンの発生を終了させる場合、前記オゾン発生部への電流の印加を停止するとともに前記吸引ファンを作動させ、電流の印加の停止から所定時間経過後に前記送風ファンを停止させ、前記送風ファンの停止から所定時間経過後に前記送風ファンを再び作動させる請求項１に記載の脱臭除菌装置。
【請求項３】
前記制御装置は、
オゾンの発生時に前記吸引ファンを作動させる場合、前記吸引ファンが作動している間、前記オゾン発生部に印加している電流を停止する請求項１又は請求項２に記載の脱臭除菌装置。
【請求項４】
前記制御装置は、
前記吸引ファンを複数備える場合、一の吸引ファンの異常を検出しても他の吸引ファンを稼動させる請求項１から請求項３いずれか一項に記載の脱臭除菌装置。
【発明の詳細な説明】
【技術分野】
【０００１】
本発明は、脱臭除菌装置に関する。特に、携帯型のオゾン式脱臭除菌装置に関する。
【背景技術】
【０００２】
従来、オゾン式脱臭除菌装置は、オゾンを発生させるオゾン発生装置とオゾンを分解させるオゾン分解装置とから構成され、それぞれが独立して作動するものが知られている。このようなオゾン式脱臭除菌装置は、オゾン発生装置で発生させたオゾンを空気ポンプ（送風ファン）によって脱臭除菌を行う室内に拡散させる。そして、脱臭除菌の終了後にオゾンが含まれる空気を送風ファン（吸引ファン）によってオゾン分解装置のオゾン分解部に供給することでオゾンを分解する。例えば特許文献１の如くである。
【０００３】
特許文献１に記載のオゾン式脱臭除菌装置は、オゾン分解装置に供給された空気を室外に排出するように構成される。このため、オゾンは、専ら空気ポンプの作用によって室内に拡散される。従って、脱臭除菌の対象空間が大きい場合や空間の構成が複雑な場合、空気ポンプの作用によるオゾンの拡散では効果的な空気の循環を生じさせることができず、オゾンの拡散効率が低下する場合があり不利であった。また、脱臭除菌後に送風ファンの故障が発見されるとオゾンが自然分解するまで室内に入ることができない点で不利であった。
【先行技術文献】
【特許文献】
【０００４】
【特許文献１】特開平７−８１４８号公報
【発明の概要】
【発明が解決しようとする課題】
【０００５】
本発明の目的は、脱臭除菌装置の作動を担保しつつ、オゾンの拡散効率を向上させることができるオゾン式脱臭除菌装置の提供を目的とする。
【課題を解決するための手段】
【０００６】
本発明の解決しようとする課題は以上の如くであり、次にこの課題を解決するための手段を説明する。
【０００７】
即ち、請求項１においては、オゾン発生部に空気を送風する送風ファンと、オゾン分解部に空気を吸引する吸引ファンと、制御装置とを具備する脱臭除菌装置において、前記制御装置は、オゾンを発生させている間、前記吸引ファンを所定間隔で所定時間だけ作動させるものである。
【０００８】
請求項２においては、前記制御装置は、オゾンの発生を開始させる場合、前記送風ファンを作動させ、所定時間経過後に前記オゾン発生部に電流を印加し、オゾンの発生を終了させる場合、前記オゾン発生部への電流の印加を停止するとともに前記吸引ファンを作動させ、電流の印加の停止から所定時間経過後に前記送風ファンを停止させ、前記送風ファンの停止から所定時間経過後に前記送風ファンを再び作動させるものである。
【０００９】
請求項３においては、前記制御装置は、オゾンの発生時に前記吸引ファンを作動させる場合、前記吸引ファンが作動している間、前記オゾン発生部に印加している電流を停止するものである。
【００１０】
請求項４においては、前記制御装置は、前記吸引ファンを複数備える場合、一の吸引ファンの異常を検出しても他の吸引ファンを稼動させるものである。
【発明の効果】
【００１１】
本発明の効果として、以下に示すような効果を奏する。
【００１２】
請求項１においては、吸引ファンの動作確認をすることができる。また、送風ファンだけでなく吸引ファンによってもオゾンが拡散される。これにより、脱臭除菌装置の作動を担保しつつ、オゾンの拡散効率を向上させることができる。
【００１３】
請求項２においては、送風ファンの動作確認をすることができる。また、残留オゾンを確実に排出するとともに送風ファンによってもオゾンが拡散される。これにより、脱臭除菌装置の作動を担保しつつ、オゾンの拡散効率を向上させることができる。
【００１４】
請求項３においては、オゾン発生部と吸引ファンとが同時に作動することがないので電気的な負荷が小さくなる。これにより、脱臭除菌装置の作動を担保しつつ、オゾンの拡散効率を向上させることができる。
【００１５】
請求項４においては、吸引ファンの故障による脱臭除菌装置の作動停止の頻度が低減する。これにより、脱臭除菌装置の作動を担保しつつ、オゾンの拡散効率を向上させることができる。
【図面の簡単な説明】
【００１６】
【図１】（ａ）本発明の一実施形態に係る脱臭除菌装置の全体的な構成を示す正面図（ｂ）本発明の他の実施形態に係る脱臭除菌装置の全体的な構成を示す正面図。
【図２】本発明の一実施形態に係るオゾン発生装置を示す正面断面図。
【図３】本発明の一実施形態に係るオゾン分解装置を示す側面断面図。
【図４】本発明の一実施形態に係る脱臭除菌装置の制御装置の構成を示す模式図。
【図５】本発明の一実施形態に係る脱臭除菌装置の基本制御態様を示すフローチャート図。
【図６】本発明の一実施形態に係る脱臭除菌装置の通常時運転制御Ａの制御態様を示すフローチャート図。
【図７】本発明の一実施形態に係る脱臭除菌装置の間欠運転制御Ｂの制御態様を示すフローチャート図。
【図８】本発明の一実施形態に係る脱臭除菌装置のオゾン分解制御Ｃの制御態様を示すフローチャート図。
【図９】本発明の一実施形態に係る脱臭除菌装置の異常時運転制御Ｄの制御態様を示すフローチャート図。
【図１０】本発明の一実施形態に係る脱臭除菌装置の異常時運転制御Ｅの制御態様を示すフローチャート図。
【図１１】本発明の一実施形態に係る脱臭除菌装置の異常時運転制御Ｆの制御態様を示すフローチャート図。
【発明を実施するための形態】
【００１７】
まず、図１を用いて、本発明の一実施形態に係る脱臭除菌装置について説明する。
【００１８】
図１に示すように、脱臭除菌装置１００は、オゾンを発生させて空気中に散布することにより脱臭除菌を行う。また、脱臭除菌装置１００は、脱臭除菌後に空気中のオゾンを分解する。脱臭除菌装置１００は、オゾン発生装置１とオゾン分解装置２７とから構成される。オゾン発生装置１とオゾン分解装置２７とは、それぞれ独立した別個のユニットとして構成される。脱臭除菌装置１００は、オゾン発生装置１とオゾン分解装置２７とが有線（図１（ａ））又は無線（図１（ｂ））で接続される。脱臭除菌装置１００は、オゾン発生装置１の操作パネル３によってオゾン発生装置１及びオゾン分解装置２７を操作可能に構成される。
【００１９】
次に、図１及び図２を用いて、オゾン発生装置１について具体的に説明する。
【００２０】
オゾン発生装置１は、オゾンを発生させる。オゾン発生装置１は、主として第一筐体２、送風ファン１５、オゾン発生部１６、ダクト１８、オゾン分解触媒１９、冷却ファン２０、電源部２１、を具備する。
【００２１】
図１及び図２に示すように、第一筐体２は、オゾン発生装置１を構成する主な部材であり、オゾン発生部１６や電源部２１が収められる容器である。第一筐体２は、板材によって略直方体状に形成される。第一筐体２の前側面２ａ（図１における紙面手前側）には、オゾン発生装置１を操作するための操作パネル３が設けられる。操作パネル３には、オゾン発生部１６、送風ファン１５、又は後述の第一吸引ファン３８、第二吸引ファン３９の異常を示す異常発生灯３ａを具備する。また、第一筐体２の前側面２ａの上方には、オゾンの発生を示す運転警告灯４が設けられる。第一筐体２の上側面２ｂには、オゾン発生装置１を移動させる際に手で把持するための把持部５が設けられる。第一筐体２の下側面２ｃには、ゴム材等から構成される脚部６が四隅に設けられる。
【００２２】
図２に示すように、第一筐体２は、内部に仕切り板７が水平に設けられて上下に分割される。仕切り板７よりも下側の空間は、後述の電源部２１が配置される電源室８として構成される。仕切り板７よりも上側の空間は、後述のオゾン発生部１６が配置されるオゾン発生室９として構成される。第一筐体２内の電源室８とオゾン発生室９とは、仕切り板７によって完全に分離されてオゾン発生室９の内部の空気が電源室８の内部に流入しないように構成される。
【００２３】
第一筐体２は、仕切り板７よりも上側の横側面である右側面２ｄ及び左側面２ｅと上側面２ｂとが一体的に形成される。つまり、第一筐体２の仕切り板７よりも上側の右側面２ｄ及び左側面２ｅと上側面２ｂとは、オゾン発生室９を覆うカバー１０として一体的に構成される。また、カバー１０は、第一筐体２から着脱自在に構成される。
【００２４】
第一筐体２の上側面２ｂには、第一筐体２の外部からオゾン発生室９に空気を取り入れるための第一吸引口１１が形成される。第一吸引口１１には、粉塵除去用のフィルター１１ａが設けられる。第一筐体２の右側面２ｄには、オゾン発生室９から第一筐体２の外部にオゾンが含まれる空気を排出する第一排出口１２が形成される。つまり、オゾン発生室９は、カバー１０の上側面２ｂに第一吸引口１１が形成され、右側面２ｄに第一排出口１２が形成される。
【００２５】
第一筐体２の仕切り板７よりも下側の横側面である左側面２ｆには、第一筐体２の外部から電源室８に空気を取り入れるための第二吸引口１３が形成される。第一筐体２の仕切り板７よりも下側の横側面である右側面２ｇには、電源室８から第一筐体２の外部に空気を排出する第二排出口１４が形成される。つまり、電源室８は、対向する左右の両側面に第二吸引口１３と第二排出口１４とが形成される。
【００２６】
送風ファン１５は、第一筐体２の外部からオゾン発生室９に空気を取り入れ、オゾン発生室９から第一筐体２の外部に空気を排出する。送風ファン１５は、シロッコファンから構成される。送風ファン１５は、回転に同期したパルス信号を発生可能に構成される。当該パルス信号は、後述の制御装置２２に送られて送風ファン１５の異常検出に用いられる。送風ファン１５は、空気の吸引部１５ａが第一吸引口１１に対向するようにオゾン発生室９に配置される。また、送風ファン１５は、排出部１５ｂが第一排出口１２に向くように配置される。つまり、送風ファン１５は、オゾン発生装置１の上方の第一吸引口１１から空気を吸引し、オゾン発生装置１の右方の第一排出口１２からオゾンを含む空気を排出可能に構成される。なお、本実施形態において、送風ファン１５をシロッコファンとしたがこれに限定するものではなく、第一筐体２の外部からオゾン発生室９に空気を取り込み、オゾン発生室９から第一筐体２の外部へ空気を排出することができるものであればよい。
【００２７】
オゾン発生部１６は、オゾンを発生させるものである。オゾン発生部１６は、主に筒状の反応器１７から構成される。オゾン発生部１６は、反応器１７の一側端が第一排出口１２に近接して対向するようにオゾン発生室９に着脱自在に配置される。また、オゾン発生部１６は、反応器１７の他側端が送風ファン１５の排出部１５ｂに向くように配置される。なお、本実施形態において、オゾン発生部１６を反応器１７から構成したがこれに限定するものではなく、紫外線照射灯によるものでもよい。
【００２８】
ダクト１８は、送風ファン１５からの空気を案内する。ダクト１８は、板状部材から構成され、一辺が開放された矩形状の断面に形成される。ダクト１８は、一側端が第一排出口１２に近接して対向するようにオゾン発生室９に配置される。また、ダクト１８は、他側端が送風ファン１５の排出部１５ｂに近接して配置される。この際、ダクト１８は、開放部分を下方にむけてオゾン発生部１６の反応器１７に被せるようにして仕切り板７に着脱自在に固定される。すなわち、ダクト１８は、その内部にオゾン発生部１６が配置され、送風ファン１５の排出部１５ｂから排出される空気を第一排出口１２まで案内する。
【００２９】
オゾン分解触媒１９は、オゾンを分解するものである。オゾン分解触媒１９は、セラミック等の無機材料から構成される。オゾン分解触媒１９は、第二吸引口１３に密接するようにして配置される。これにより、第二吸引口１３から電源室８に取り入れられる空気は、オゾン分解触媒１９を通過するように構成される。なお、本実施形態において、オゾン分解触媒１９をセラミック等の無機材料から構成したがこれに限定するものではなく、オゾンを分解する触媒であればよい。
【００３０】
冷却ファン２０は、第一筐体２の外部から電源室８に空気を取り入れ、電源室８から第一筐体２の外部に空気を排出する。冷却ファン２０は、空気の吸引部２０ａがオゾン分解触媒１９に密接するようにして電源室８に配置される。また、冷却ファン２０は、排出部２０ｂが第二排出口１４に向くように配置される。これにより、冷却ファン２０は、電源室８の左方の第二吸引口１３からオゾン分解触媒１９を介して空気を電源室８の内部に吸引可能に構成される。そして、冷却ファン２０は、電源室８の右方に向かって空気を送風可能に構成される。冷却ファン２０によって送風された空気は、第二排出口１４から排出されるように構成される。なお、本実施形態において、冷却ファン２０は、第一筐体２の外部から電源室８に空気を取り込み、第一筐体２の外部へ空気を排出することができるものであればよい。
【００３１】
電源部２１は、オゾン発生部１６の制御や電源を供給する。電源部２１は、主にオゾン発生部１６、後述のオゾン分解部３７及び電源部２１を制御する制御装置２２（図１参照）、高圧電流を発生させる高圧発生器２３、外部電源からの電力を高圧発生器２３に供給する電源装置２４を具備する。
【００３２】
図１に示すように、制御装置２２は、板状の基盤から構成される。制御装置２２は、電源室８の内部であって第一筐体２の前側面２ａに設けられる操作パネル３の裏側に配置される。制御装置２２は、実体的には、ＣＰＵ、ＲＯＭ、ＲＡＭ、ＨＤＤ等がバスで接続される構成であってもよく、あるいはワンチップのＬＳＩ等からなる構成であってもよい。制御装置２２は、プログラム等に従って所定の演算を行うことができ、当該演算の結果等を記憶することができる。
【００３３】
制御装置２２は、電源部２１、及び信号線２５を介して後述のオゾン分解部３７に接続される（図１（ａ）参照）。つまり、制御装置２２は、オゾン発生部１６及び電源部２１だけでなく別個のユニットとして構成されるオゾン分解装置２７を制御可能に構成される。なお、制御装置２２とオゾン分解装置２７との接続は、有線による接続に限定されるものではなく、図１（ｂ）に示すように、無線通信器２６を介して無線による接続でもよい。
【００３４】
図２に示すように、高圧発生器２３は、基材に各種の電源用部品が配置されて構成される。高圧発生器２３は、一側端が冷却ファン２０の排出部２０ｂに近接して電源室８に配置される。また、高圧発生器２３は、他側端が第二排出口１４に向くように配置される。電源装置２４は、基材に各種の電源用部品が配置されて構成される。電源装置２４は、第二排出口１４の近傍に配置される。なお、本実施形態において、高圧発生器２３と電源装置２４とはそれぞれ独立した基材に構成されているが、これに限定するものではなく、高圧発生器２３と電源装置２４とを一体的に構成してもよい。
【００３５】
次に、図１及び図３を用いて、オゾン分解装置の第一実施形態であるオゾン分解装置２７について具体的に説明する。
【００３６】
オゾン分解装置２７は、オゾンを分解させる。オゾン分解装置２７は、主として、第二筐体２８、オゾン分解部３７である第一吸引ファン３８、第二吸引ファン３９、第一オゾン分解触媒４５、第二オゾン分解触媒４６、第三オゾン分解触媒４７、第四オゾン分解触媒４８を具備する。
【００３７】
図１及び図３に示すように、第二筐体２８は、オゾン分解装置２７を構成する主な部材であり、オゾン分解部３７が収められる容器である。第二筐体２８は、板材によって略直方体状に形成される。第二筐体２８の前側面２８ａ（図１における紙面手前側）の上方には、オゾンの分解を示す表示灯２９が設けられる。第二筐体２８の上側面２８ｃには、オゾン分解装置２７を移動させる際に手で把持するための把持部３０が設けられる。第二筐体２８の下側面２８ｄには、ゴム材等から構成される脚部３１が四隅に設けられる。
【００３８】
図３に示すように、第二筐体２８は、前側面２８ａ及び後側面２８ｂと上側面２８ｃとが一体的に形成される。つまり、第二筐体２８の前側面２８ａ及び後側面２８ｂと上側面２８ｃとは、オゾン分解部３７を覆うカバー３２として一体的に構成される。また、カバー３２は、第二筐体２８から着脱自在に構成される。
【００３９】
第二筐体２８の前側面２８ａには、第二筐体２８の外部からオゾンが含まれた空気を取り入れるための第一吸引口３３が形成される。同様に、第二筐体２８の前側面２８ａと対向する後側面２８ｂには、第二筐体２８の外部から空気を取り入れるための第二吸引口３４が形成される。第二筐体２８の上側面２８ｃの左方には、第二筐体２８の外部に空気を排出するための第一排出口３５が形成される。同様に、第二筐体２８の上側面２８ｃの右方には、第二筐体２８の外部に空気を排出するための第二排出口３６が形成される。つまり、オゾン分解装置２７は、カバー３２の対向する前側面２８ａ及び後側面２８ｂに第一吸引口３３及び第二吸引口３４が形成され、上側面２８ｃに第一排出口３５及び第二排出口３６が形成される。
【００４０】
オゾン分解部３７は、第一吸引ファン３８、第二吸引ファン３９、第一オゾン分解触媒４５、第二オゾン分解触媒４６、第三オゾン分解触媒４７、第四オゾン分解触媒４８を具備する。
【００４１】
第一吸引ファン３８及び第二吸引ファン３９は、第二筐体２８の外部から空気を取り入れるとともに、第二筐体２８の外部に空気を排出する。第一吸引ファン３８及び第二吸引ファン３９は、シロッコファンから構成される。第一吸引ファン３８及び第二吸引ファン３９は、回転に同期したパルス信号を発生可能に構成される。当該パルス信号は、後述の制御装置２２に送られて第一吸引ファン３８及び第二吸引ファン３９の異常検出に用いられる。第一吸引ファン３８は、空気の吸引部３８ａが第一吸引口３３に対向するように第二筐体２８の内部に配置される。また、第一吸引ファン３８は、排出部３８ｂが第一排出口３５に対向するように配置される。同様に、第二吸引ファン３９は、空気の吸引部３９ａが第二吸引口３４に対向するように第二筐体２８の内部に配置される。また、第二吸引ファン３９は、排出部３９ｂが第二排出口３６に対向するように配置される。
【００４２】
このように配置される第一吸引ファン３８及び第二吸引ファン３９は、オゾン分解装置２７の対向する前側面２８ａ及び後側面２８ｂに設けられる第一吸引口３３及び第二吸引口３４から空気を吸引し、オゾン分解装置２７の上側面２８ｃに設けられる第一排出口３５及び第二排出口３６から空気を排出可能に構成される。なお、本実施形態において、第一吸引ファン３８及び第二吸引ファン３９をシロッコファンとしたがこれに限定するものではなく、第二筐体２８の外部から空気を取り込み、第二筐体２８の外部へ空気を排出することができるものであればよい。
【００４３】
第一オゾン分解触媒４５、第二オゾン分解触媒４６、第三オゾン分解触媒４７及び第四オゾン分解触媒４８は、オゾンを分解するものである。第一オゾン分解触媒４５から第四オゾン分解触媒４８は、セラミック等の無機材料から構成される。
【００４４】
第一オゾン分解触媒４５は、第一吸引口３３に密接するようにして配置される。第二オゾン分解触媒４６は、第一排出口３５に密接するようにして配置される。第一オゾン分解触媒４５は、第一吸引ファン３８との関係において吸引部３８ａと対向するように配置される。第二オゾン分解触媒４６は、第一吸引ファン３８との関係において排出部３８ｂと対向するように配置される。
【００４５】
第一吸引ファン３８は、第二筐体２８の内部の空気が吸引部３８ａに吸引されないように第一吸引ダクト４９を介して第一オゾン分解触媒４５に接続される。また、第一吸引ファン３８は、排出部３８ｂから排出される空気が第二筐体２８の内部に流入しないように第一排出ダクト５０を介して第二オゾン分解触媒４６に接続される。
【００４６】
第三オゾン分解触媒４７は、第二吸引口３４に密接するようにして配置される。第四オゾン分解触媒４８は、第二排出口３６に密接するようにして配置される。第三オゾン分解触媒４７は、第二吸引ファン３９との関係において吸引部３９ａと対向するように配置される。第四オゾン分解触媒４８は、第二吸引ファン３９との関係において排出部３９ｂと対向するように配置される。
【００４７】
第二吸引ファン３９は、第二筐体２８の内部の空気が吸引部３９ａに吸引されないように第二吸引ダクト５１を介して第三オゾン分解触媒４７に接続される。また、第二吸引ファン３９は、排出部３９ｂから排出される空気が第二筐体２８の内部に流入しないように第二排出ダクト５２を介して第四オゾン分解触媒４８に接続される。
【００４８】
以下では、図４を用いて、制御装置２２に関する具体的構成について説明する。
【００４９】
図４（ａ）に示すように、制御装置２２は、操作パネル３に接続され、操作パネル３から入力される運転時間ｔ０等を取得することが可能である。
【００５０】
制御装置２２は、送風ファン１５、冷却ファン２０、高圧発生器２３に接続され、送風ファン１５からのパルス信号を取得することが可能である。そして、制御装置２２は、高圧発生器２３に接続されるオゾン発生部１６、送風ファン１５、オゾン発生部１６、冷却ファン２０、高圧発生器２３の動作を制御することが可能である。
【００５１】
制御装置２２は、電源装置２４に接続され、電源装置２４から電力の供給を受けることが可能である。
【００５２】
制御装置２２は、信号線２５を介してオゾン分解装置２７の第一吸引ファン３８、第二吸引ファン３９に接続され、第一吸引ファン３８、第二吸引ファン３９からのパルス信号を取得することが可能である。そして、制御装置２２は、第一吸引ファン３８、第二吸引ファン３９の動作を制御することが可能である。また、図４（ｂ）に示すように、制御装置２２は、無線通信器２６を具備している場合、無線通信器２６を介して第一吸引ファン３８、第二吸引ファン３９の動作を制御することが可能である。
【００５３】
以下では、図５から図７を用いて、本発明に係る脱臭除菌装置１００の制御態様について説明する。
【００５４】
制御装置２２は、電源が投入されると、第一吸引ファン３８、及び第二吸引ファン３９を作動させて第一吸引ファン３８、及び第二吸引ファン３９の異常の有無を検出する。その後、運転開始信号を取得すると、制御装置２２は、第一吸引ファン３８、及び第二吸引ファン３９を停止させ、送風ファン１５及び冷却ファン２０を所定時間ｔ１だけ作動させた後、オゾン発生部１６に電流を印加してオゾンを発生させる。制御装置２２は、オゾン発生部１６に電流が連続的に印加された時間が所定時間ｔａを経過するとオゾン発生部１６への印加電流を一時停止する。そして、制御装置２２は、所定時間ｔｂ経過後に第一吸引ファン３８、及び第二吸引ファン３９を所定時間ｔ３だけ作動させる。その後、制御装置２２は、オゾン発生部１６への電流の印加を再開する。すなわち、制御装置２２は、第一吸引ファン３８、及び第二吸引ファン３９を所定時間ｔａと所定時間ｔｂとを合わせた所定間隔ｔ２で所定時間ｔ３だけ作動させる。制御装置２２は、オゾン発生部１６に電流を印加してから運転時間ｔ０が経過するとオゾン発生部１６への電流の印加を停止してオゾンの発生を停止させる。
【００５５】
制御装置２２は、第一吸引ファン３８、第二吸引ファン３９を作動させてオゾンを分解させる。制御装置２２は、オゾン発生部１６への電流の印加を停止してから所定時間ｔ４だけ送風ファン１５の作動を継続させる。制御装置２２は、オゾン発生部１６への電流の印加を停止してから所定時間ｔ５経過後に送風ファン１５を作動させる。制御装置２２は、オゾン発生部１６への電流の印加を停止してから所定時間ｔ６経過後に送風ファン１５、冷却ファン２０、第一吸引ファン３８、第二吸引ファン３９を停止させる。
【００５６】
次に、本発明に係る脱臭除菌装置１００の制御態様について具体的に説明する。
【００５７】
図５に示すように、脱臭除菌装置１００の電源が「入」にされると、ステップＳ１１０において、制御装置２２は、第一吸引ファン３８、及び第二吸引ファン３９を作動させ、ステップをステップＳ１２０に移行させる。
【００５８】
ステップＳ１２０において、制御装置２２は、オゾン発生部１６、第一吸引ファン３８、若しくは第二吸引ファン３９のいずれかの異常信号を取得したか否か判定する。
その結果、オゾン発生部１６、第一吸引ファン３８、若しくは第二吸引ファン３９のいずれの異常信号も取得していないと判定した場合、制御装置２２はステップをステップＳ１３０に移行させる。
一方、オゾン発生部１６、第一吸引ファン３８、若しくは第二吸引ファン３９のいずれかの異常信号を取得したと判定した場合、制御装置２２はステップをステップＳ１６０に移行させる。
【００５９】
ステップＳ１３０において、制御装置２２は、操作パネル３の操作により入力される運転時間ｔ０についての入力信号を取得する。
【００６０】
ステップＳ１４０において、制御装置２２は、脱臭除菌装置１００の運転開始信号を取得したか否か判定する。
その結果、脱臭除菌装置１００の運転開始信号を取得したと判定した場合、制御装置２２はステップをステップＳ１５０に移行させる。
一方、脱臭除菌装置１００の運転開始信号を取得していないと判定した場合、制御装置２２はステップをステップＳ１１０に戻す。
【００６１】
ステップＳ１５０において、制御装置２２は、第一吸引ファン３８、及び第二吸引ファン３９を停止させ、ステップをステップＳ２００に移行させる。
【００６２】
ステップＳ２００において、制御装置２２は、通常時運転制御Ａを開始し、ステップをステップＳ２１０に移行させる（図６参照）。制御装置２２は、通常時運転制御Ａが終了すると脱臭除菌装置１００の制御を終了する。
【００６３】
ステップＳ１６０において、制御装置２２は、異常発生灯３ａを点灯させ、ステップをステップＳ１７０に移行させる。
【００６４】
ステップＳ１７０において、制御装置２２は、第一吸引ファン３８、及び第二吸引ファン３９を停止させ、脱臭除菌装置１００の制御を終了する。
【００６５】
図６に示すように、通常時運転制御ＡのステップＳ２１０において、制御装置２２は、送風ファン１５を作動させ、運転警告灯４を点灯させて、ステップをステップＳ２２０に移行させる。
【００６６】
ステップＳ２２０において、制御装置２２は、オゾン発生部１６、送風ファン１５のいずれかの異常信号を取得したか否か判定する。
その結果、オゾン発生部１６、送風ファン１５のいずれの異常信号も取得していないと判定した場合、制御装置２２はステップをステップＳ２３０に移行させる。
一方、オゾン発生部１６、送風ファン１５のいずれかの異常信号を取得したと判定した場合、制御装置２２はステップをステップＳ２７０に移行させる。
【００６７】
ステップＳ２３０において、制御装置２２は、送風ファン１５を作動させてから所定時間ｔ１が経過したか否か判定する。
その結果、送風ファン１５を作動させてから所定時間ｔ１が経過したと判定した場合、制御装置２２はステップをステップＳ２４０に移行させる。
一方、送風ファン１５を作動させてから所定時間ｔ１が経過していないと判定した場合、制御装置２２はステップをステップＳ２２０に戻す。
【００６８】
ステップＳ２４０において、制御装置２２は、運転警告灯４を点滅させて、冷却ファン２０を作動させ、オゾン発生部１６への電流の印加を開始して、ステップをステップＳ３００に移行させる。
【００６９】
ステップＳ３００において、制御装置２２は、間欠運転制御Ｂを開始し、ステップをステップＳ３１０に移行させる（図７参照）。制御装置２２は、間欠運転制御Ｂが終了するとステップをステップ２５０へと移行させる。
【００７０】
ステップＳ２５０において、制御装置２２は、オゾン発生部１６への電流の印加を開始してから運転時間ｔ０が経過したか否か判定する。
その結果、オゾン発生部１６への電流の印加を開始してから運転時間ｔ０が経過したと判定した場合、制御装置２２はステップをステップＳ２６０に移行させる。
一方、オゾン発生部１６への電流の印加を開始してから運転時間ｔ０が経過していないと判定した場合、制御装置２２はステップをステップＳ３００に戻す。
【００７１】
ステップＳ２６０において、制御装置２２は、オゾン発生部１６への電流の印加を停止して、ステップをステップＳ４００に移行させる。
【００７２】
ステップＳ４００において、制御装置２２は、オゾン分解制御Ｃを開始し、ステップをステップＳ４１０に移行させる（図８参照）。制御装置２２は、オゾン分解制御Ｃが終了すると通常時運転制御Ａの制御を終了する。
【００７３】
ステップＳ２７０において、制御装置２２は、異常発生灯３ａを点灯させ、ステップをステップＳ２８０に移行させる。
【００７４】
ステップＳ２８０において、制御装置２２は、送風ファン１５を停止させ、通常時運転制御Ａの制御を終了する。
【００７５】
図７に示すように、間欠運転制御ＢのステップＳ３１０において、制御装置２２は、オゾン発生部１６、送風ファン１５のいずれかの異常信号を取得したか否か判定する。
その結果、オゾン発生部１６、送風ファン１５のいずれの異常信号も取得していないと判定した場合、制御装置２２はステップをステップＳ３２０に移行させる。
一方、オゾン発生部１６、送風ファン１５のいずれかの異常信号を取得したと判定した場合、制御装置２２はステップをステップＳ６００に移行させる。
【００７６】
ステップＳ３２０において、制御装置２２は、オゾン発生部１６へ電流を連続して印加している時間が印加時間ｔａを経過したか否か判定する。
その結果、オゾン発生部１６へ電流を連続して印加している時間が印加時間ｔａを経過したと判定した場合、制御装置２２はステップをステップＳ３３０に移行させる。
一方、オゾン発生部１６へ電流を連続して印加している時間が印加時間ｔａを経過していないと判定した場合、制御装置２２はステップをステップＳ３１０に戻す。
【００７７】
ステップＳ３３０において、制御装置２２は、オゾン発生部１６への電流の印加を一時停止して、ステップをステップＳ３４０に移行させる。
【００７８】
ステップＳ３４０において、制御装置２２は、オゾン発生部１６への電流の印加を一時停止してから所定時間ｔｂ経過後に第一吸引ファン３８、及び第二吸引ファン３９を作動させる。すなわち、制御装置２２は、印加時間ｔａと所定時間ｔｂとをあわせた所定間隔ｔ２で第一吸引ファン３８、及び第二吸引ファン３９を作動させ、ステップをステップＳ３５０に移行させる。
【００７９】
ステップＳ３５０において、制御装置２２は、オゾン発生部１６、送風ファン１５、第一吸引ファン３８、若しくは第二吸引ファン３９のいずれかの異常信号を取得したか否か判定する。
その結果、オゾン発生部１６、送風ファン１５、第一吸引ファン３８、若しくは第二吸引ファン３９のいずれの異常信号も取得していないと判定した場合、制御装置２２はステップをステップＳ３６０に移行させる。
一方、オゾン発生部１６、送風ファン１５、第一吸引ファン３８、若しくは第二吸引ファン３９のいずれかの異常信号を取得したと判定した場合、制御装置２２はステップをステップＳ６００に移行させる。
【００８０】
ステップＳ３６０において、制御装置２２は、第一吸引ファン３８、若しくは第二吸引ファン３９の作動から所定時間ｔ３を経過したか否か判定する。
その結果、第一吸引ファン３８、若しくは第二吸引ファン３９の作動から所定時間ｔ３を経過したと判定した場合、制御装置２２はステップをステップＳ３７０に移行させる。
一方、第一吸引ファン３８、若しくは第二吸引ファン３９の作動から所定時間ｔ３を経過していないと判定した場合、制御装置２２はステップをステップＳ３５０に戻す。
【００８１】
ステップＳ３７０において、制御装置２２は、第一吸引ファン３８、及び第二吸引ファン３９を停止させて、ステップをステップＳ３８０に移行させる。
【００８２】
ステップＳ３８０において、制御装置２２は、オゾン発生部１６への電流の印加を再開して、間欠運転制御Ｂの制御を終了する。
【００８３】
ステップＳ６００において、制御装置２２は、異常時運転制御Ｄを開始し、ステップをステップＳ６１０に移行させる（図９参照）。制御装置２２は、異常時運転制御Ｄが終了すると通常時運転制御Ａの制御を終了する。
【００８４】
図８に示すように、オゾン分解制御ＣのステップＳ４１０において、制御装置２２は、第一吸引ファン３８、及び第二吸引ファン３９を作動させ、ステップをステップＳ４２０に移行させる。
【００８５】
ステップＳ４２０において、制御装置２２は、送風ファン１５、第一吸引ファン３８、若しくは第二吸引ファン３９のいずれかの異常信号を取得したか否か判定する。
その結果、送風ファン１５、第一吸引ファン３８、若しくは第二吸引ファン３９のいずれの異常信号も取得していないと判定した場合、制御装置２２はステップをステップＳ４３０に移行させる。
一方、送風ファン１５、第一吸引ファン３８、若しくは第二吸引ファン３９のいずれかの異常信号を取得したと判定した場合、制御装置２２はステップをステップＳ７００に移行させる。
【００８６】
ステップＳ４３０において、制御装置２２は、オゾン発生部１６への電流の印加を停止してから所定時間ｔ４が経過したか否か判定する。
その結果、オゾン発生部１６への電流の印加を停止してから所定時間ｔ４が経過したと判定した場合、制御装置２２はステップをステップＳ４４０に移行させる。
一方、オゾン発生部１６への電流の印加を停止してから所定時間ｔ４が経過していないと判定した場合、制御装置２２はステップをステップＳ４２０に戻す。
【００８７】
ステップＳ４４０において、制御装置２２は、送風ファン１５を停止させ、ステップをステップＳ４５０に移行させる。
【００８８】
ステップＳ４５０において、制御装置２２は、第一吸引ファン３８、若しくは第二吸引ファン３９のいずれかの異常信号を取得したか否か判定する。
その結果、第一吸引ファン３８、若しくは第二吸引ファン３９のいずれの異常信号も取得していないと判定した場合、制御装置２２はステップをステップＳ４６０に移行させる。
一方、第一吸引ファン３８、若しくは第二吸引ファン３９のいずれかの異常信号を取得したと判定した場合、制御装置２２はステップをステップＳ７００に移行させる。
【００８９】
ステップＳ４６０において、制御装置２２は、オゾン発生部１６への電流の印加を停止してから所定時間ｔ５が経過したか否か判定する。
その結果、オゾン発生部１６への電流の印加を停止してから所定時間ｔ５が経過したと判定した場合、制御装置２２はステップをステップＳ４７０に移行させる。
一方、オゾン発生部１６への電流の印加を停止してから所定時間ｔ５が経過していないと判定した場合、制御装置２２はステップをステップＳ４５０に戻す。
【００９０】
ステップＳ４７０において、制御装置２２は、送風ファン１５を作動させて、ステップをステップＳ４８０に移行させる。
【００９１】
ステップＳ４８０において、制御装置２２は、送風ファン１５、第一吸引ファン３８、若しくは第二吸引ファン３９のいずれかの異常信号を取得したか否か判定する。
その結果、送風ファン１５、第一吸引ファン３８、若しくは第二吸引ファン３９のいずれの異常信号も取得していないと判定した場合、制御装置２２はステップをステップＳ４９０に移行させる。
一方、送風ファン１５、第一吸引ファン３８、若しくは第二吸引ファン３９のいずれかの異常信号を取得したと判定した場合、制御装置２２はステップをステップＳ７００に移行させる。
【００９２】
ステップＳ４９０において、制御装置２２は、オゾン発生部１６への電流の印加を停止してから所定時間ｔ６が経過したか否か判定する。
その結果、オゾン発生部１６への電流の印加を停止してから所定時間ｔ６が経過したと判定した場合、制御装置２２はステップをステップＳ５００に移行させる。
一方、オゾン発生部１６への電流の印加を停止してから所定時間ｔ６が経過していないと判定した場合、制御装置２２はステップをステップＳ４８０に戻す。
【００９３】
ステップＳ５００において、制御装置２２は、送風ファン１５、冷却ファン２０、第一吸引ファン３８、及び第二吸引ファン３９を停止させ、運転警告灯４を消灯させて、オゾン分解制御Ｃの制御を終了する。
【００９４】
ステップＳ７００において、制御装置２２は、異常時運転制御Ｅを開始し、ステップをステップＳ７１０に移行させる（図１０参照）。制御装置２２は、異常時運転制御Ｅが終了するとオゾン分解制御Ｃの制御を終了する。
【００９５】
図９に示すように、異常時運転制御ＤのステップＳ６１０において、制御装置２２は、異常発生灯３ａを点灯させて、ステップをステップＳ６２０に移行させる。
【００９６】
ステップＳ６２０において、制御装置２２は、送風ファン１５を停止させ、オゾン発生部１６への電流の印加を停止して、ステップをステップＳ６３０に移行させる。
【００９７】
ステップＳ６３０において、制御装置２２は、オゾン発生部１６の異常信号を取得したか否か判定する。
その結果、オゾン発生部１６の異常信号を取得していないと判定した場合、制御装置２２はステップをステップＳ６４０に移行させる。
一方、オゾン発生部１６の異常信号を取得したと判定した場合、制御装置２２はステップをステップＳ８００に移行させる。
【００９８】
ステップＳ６４０において、制御装置２２は、送風ファン１５の異常信号を取得したか否か判定する。
その結果、送風ファン１５の異常信号を取得していないと判定した場合、制御装置２２はステップをステップＳ７００に移行させる。
一方、送風ファン１５の異常信号を取得したと判定した場合、制御装置２２はステップをステップＳ８００に移行させる。
【００９９】
ステップＳ７００において、制御装置２２は、異常時運転制御Ｅを開始し、ステップをステップＳ７１０に移行させる（図１０参照）。制御装置２２は、異常時運転制御Ｅが終了すると異常時運転制御Ｄの制御を終了する。
【０１００】
ステップＳ８００において、制御装置２２は、異常時運転制御Ｆを開始し、ステップをステップＳ８１０に移行させる（図１１参照）。制御装置２２は、異常時運転制御Ｆが終了すると異常時運転制御Ｄの制御を終了する。
【０１０１】
図１０に示すように、異常時運転制御ＥのステップＳ７１０において、制御装置２２は、第一吸引ファン３８、若しくは第二吸引ファン３９のいずれか一方の異常信号を取得したか否か判定する。
その結果、第一吸引ファン３８、若しくは第二吸引ファン３９のいずれか一方の異常信号のみを取得し、他方の異常信号は取得していないと判定した場合、制御装置２２はステップをステップＳ７２０に移行させる。
一方、第一吸引ファン３８、及び第二吸引ファン３９の両方の異常信号も取得したと判定した場合、制御装置２２はステップをステップＳ７５０に移行させる。
【０１０２】
ステップＳ７２０において、制御装置２２は、第一吸引ファン３８、及び第二吸引ファン３９のうち、正常な他方の吸引ファンを作動させ、ステップをステップＳ７３０に移行させる。
【０１０３】
ステップＳ７３０において、制御装置２２は、第一吸引ファン３８、若しくは第二吸引ファン３９のうちステップＳ７１０で異常信号を取得しなかった方の吸引ファンの異常信号を取得したか否か判定する。
その結果、第一吸引ファン３８、若しくは第二吸引ファン３９のうちステップＳ７１０で異常信号を取得しなかった方の吸引ファンの異常信号を取得していないと判定した場合、制御装置２２はステップをステップＳ７４０に移行させる。
一方、第一吸引ファン３８、若しくは第二吸引ファン３９のうちステップＳ７１０で異常信号を取得しなかった方の吸引ファンの異常信号を取得したと判定した場合、制御装置２２はステップをステップＳ７５０に移行させる。
【０１０４】
ステップＳ７４０において、制御装置２２は、オゾン発生部１６への電流の印加を停止してから所定時間ｔ６が経過したか否か判定する。
その結果、オゾン発生部１６への電流の印加を停止してから所定時間ｔ６が経過したと判定した場合、制御装置２２は異常時運転制御Ｅを終了する。
一方、オゾン発生部１６への電流の印加を停止してから所定時間ｔ６が経過していないと判定した場合、制御装置２２はステップをステップＳ７３０に戻す。
【０１０５】
ステップＳ７５０において、制御装置２２は、運転警告灯４を消灯させ、第一吸引ファン３８、及び第二吸引ファン３９を停止させて、異常時運転制御Ｅを終了する。
【０１０６】
図１１に示すように、異常時運転制御ＦのステップＳ８１０において、制御装置２２は、第一吸引ファン３８、及び第二吸引ファン３９を作動させ、ステップをステップＳ８２０に移行させる。
【０１０７】
ステップＳ８２０において、制御装置２２は、第一吸引ファン３８、若しくは第二吸引ファン３９のいずれかの異常信号を取得したか否か判定する。
その結果、第一吸引ファン３８、若しくは第二吸引ファン３９のいずれの異常信号も取得していないと判定した場合、制御装置２２はステップをステップＳ８３０に移行させる。
一方、第一吸引ファン３８、若しくは第二吸引ファン３９のいずれかの異常信号を取得したと判定した場合、制御装置２２はステップをステップＳ７００に移行させる。
【０１０８】
ステップＳ８３０において、制御装置２２は、オゾン発生部１６への電流の印加を停止してオゾンの発生を停止させてから所定時間ｔ６が経過したか否か判定する。
その結果、オゾン発生部１６への電流の印加を停止してから所定時間ｔ６が経過したと判定した場合、制御装置２２はステップをステップＳ８４０に移行させる。
一方、オゾン発生部１６への電流の印加を停止してから所定時間ｔ６が経過していないと判定した場合、制御装置２２はステップをステップＳ８２０に戻す。
【０１０９】
ステップＳ８４０において、制御装置２２は、運転警告灯４を消灯させ、冷却ファン２０、第一吸引ファン３８、及び第二吸引ファン３９を停止させて、異常時運転制御Ｆの制御を終了する。
【０１１０】
ステップＳ７００において、制御装置２２は、異常時運転制御Ｅを開始し、ステップをステップＳ７１０に移行させる（図１０参照）。制御装置２２は、異常時運転制御Ｅが終了すると異常時運転制御Ｆの制御を終了する。
【０１１１】
以上の如く、オゾン発生部１６に空気を送風する送風ファン１５と、オゾン分解部３７に空気を吸引する吸引ファンである第一吸引ファン３８、及び第二吸引ファン３９と、制御装置２２とを具備する脱臭除菌装置１００において、制御装置２２は、オゾンを発生させている間、第一吸引ファン３８、及び第二吸引ファン３９を所定間隔ｔ２で所定時間ｔ３だけ作動させるものである。
このように構成することにより、第一吸引ファン３８、及び第二吸引ファン３９の動作確認をすることができる。また、送風ファン１５だけでなく第一吸引ファン３８、及び第二吸引ファン３９によってもオゾンが拡散される。これにより、脱臭除菌装置１００の作動を担保しつつ、オゾンの拡散効率を向上させることができる。
【０１１２】
また、制御装置２２は、オゾンの発生を開始する場合、送風ファン１５を作動させ、所定時間ｔ１経過後にオゾン発生部１６に電流を印加し、オゾンの発生を終了する場合、オゾン発生部１６への電流の印加を停止するとともに第一吸引ファン３８、及び第二吸引ファン３９を作動させ、電流の印加の停止から所定時間ｔ４経過後に送風ファン１５を停止させ、送風ファン１５の停止から所定時間ｔ５経過後に送風ファン１５を再び作動させるものである。
このように構成することにより、送風ファン１５の動作確認をすることができる。また、残留オゾンを確実に排出するとともに送風ファン１５によってもオゾンが拡散される。これにより、脱臭除菌装置１００の作動を担保しつつ、オゾンの拡散効率を向上させることができる。
【０１１３】
また、制御装置２２は、オゾンの発生時に第一吸引ファン３８、及び第二吸引ファン３９を作動させる場合、第一吸引ファン３８、及び第二吸引ファン３９が作動している間、オゾン発生部１６に印加している電流を停止するものである。
このように構成することにより、オゾン発生部１６と第一吸引ファン３８、及び第二吸引ファン３９とが同時に作動することがないので電気的な負荷が小さくなる。これにより、脱臭除菌装置１００の作動を担保しつつ、オゾンの拡散効率を向上させることができる。
【０１１４】
また、制御装置２２は、複数の吸引ファンである第一吸引ファン３８、及び第二吸引ファン３９吸引ファンを備える場合、第一吸引ファン３８、及び第二吸引ファン３９のうち一方の異常を検出しても第一吸引ファン３８、及び第二吸引ファン３９のうち他方を稼動させるものである。
このように構成することにより、第一吸引ファン３８、及び第二吸引ファン３９の故障による脱臭除菌装置１００の作動停止の頻度が低減する。これにより、脱臭除菌装置１００の作動を担保しつつ、オゾンの拡散効率を向上させることができる。
【符号の説明】
【０１１５】
１５  送風ファン
１６  オゾン発生部
２２  制御装置
３７  オゾン分解部
３８  第一吸引ファン
３９  第二吸引ファン
１００  脱臭除菌装置
ｔ２  所定間隔
ｔ３  所定時間
【図１】
2014014549.tif 000003
【図２】
2014014549.tif 000004
【図３】
2014014549.tif 000005
【図４】
2014014549.tif 000006
【図５】
2014014549.tif 000007
【図６】
2014014549.tif 000008
【図７】
2014014549.tif 000009
【図８】
2014014549.tif 000010
【図９】
2014014549.tif 000011
【図１０】
2014014549.tif 000012
【図１１】
2014014549.tif 000013